(57)【要約】【課題】近年のニーズに対応し、ユーザが携帯して出先において経路情報を書き込んでおき後に経路書類を容易に作成することができる無線タグ及び経路書類作成システムを提供する。【解決手段】無線タグＴが、情報の送受信を行うループアンテナ１５２と、そのループアンテナ１５２を経由して外部からユーザの移動に伴う経路情報（経由地及び目的地）及び時間情報を受け取って記憶し、経路書類作成装置１０による経路書類（出張報告書）の作成に用いる経路情報及び時間情報が読み出されるＩＣ回路部１５１と、そのＩＣ回路部１５１及びそのループアンテナ１５２が備えられたタグ媒体とを有する。【選択図】図２
2009199137.tif 000002
【特許請求の範囲】
【請求項１】
情報の送受信を行うアンテナと、
前記アンテナを経由して外部から、ユーザの移動に伴う経路情報及び時間情報を受け取って記憶し、経路書類作成装置による経路書類の作成に用いる前記経路情報及び前記時間情報が読み出されるＩＣ回路部と、
前記ＩＣ回路部及び前記アンテナが備えられたタグ媒体と
を有することを特徴とする無線タグ。
【請求項２】
前記ＩＣ回路部は、
前記アンテナを経由して受け取った運賃情報を記憶している
ことを特徴とする請求項１記載の無線タグ。
【請求項３】
前記ＩＣ回路部は、
前記アンテナを経由して受け取った宿泊費情報を記憶している
ことを特徴とする請求項１又は請求項２記載の無線タグ。
【請求項４】
情報を記憶するＩＣ回路部と、情報の送受信を行うアンテナとを備え、ユーザによって携帯される無線タグと、
前記ユーザの移動先の施設に配置され、前記無線タグとの間で情報の送受信を行って前記無線タグに、前記ユーザの移動に伴う経路情報及び時間情報を含む情報を記憶させる少なくとも１台の情報送受信装置と、
前記無線タグから読み出した前記時間情報及び前記経路情報に基づいて経路書類を作成する経路書類作成装置と
を有することを特徴とする経路書類作成システム。
【請求項５】
前記経路書類作成装置からの問い合わせに応じて前記経路書類の作成にあたり必要な情報を提供する情報提供装置
を有することを特徴とする請求項４記載の経路書類作成システム。
【請求項６】
前記経路書類作成装置は、
前記経路書類の生成に用いる情報の提供を受けるための前記問い合わせを生成し、
前記情報提供装置は、
前記経路書類作成装置からの前記問い合わせに応じて前記経路情報に基づいて前記ユーザの移動に伴ってかかる運賃を計算するための運賃情報を提供する
ことを特徴とする請求項５記載の経路書類作成システム。
【請求項７】
前記経路書類作成装置は、
前記経路書類の生成に用いる情報の提供を受けるための前記問い合わせを生成し、
前記情報提供装置は、
前記経路書類作成装置からの前記問い合わせに応じて前記経路情報に基づく宿泊費を計算するための宿泊費情報を提供する
ことを特徴とする請求項５記載の経路書類作成システム。
【請求項８】
前記経路書類作成装置は、
前記経路情報に基づいて前記ユーザの移動に伴って経由すべきであった経由地を推測する経由地推測手段
を備えることを特徴とする請求項６又は請求項７記載の経路書類作成システム。
【請求項９】
前記経路書類作成装置は、
前記経由地推測手段によって推測された経由地を前記ユーザに提示し、前記ユーザから入力される操作入力に基づいて前記推測された経由地を修正するための経由地修正手段
を備えることを特徴とする請求項８記載の経路書類作成システム。
【請求項１０】
前記経路書類作成装置は、
前記経路書類として前記ユーザの出張に伴って報告すべき出張報告書を作成する
ことを特徴とする請求項４乃至請求項９のいずれか記載の経路書類作成システム。
【発明の詳細な説明】
【技術分野】
【０００１】
本発明は、ユーザによって携帯される無線タグ及び経路書類作成システムに係わり、特にユーザが所望の施設を訪れてその訪問履歴を表す経路書類を作成する経路書類作成システムに関する。
【背景技術】
【０００２】
近年の乗車経路案内システムは、所定の読取手段により情報記憶媒体から読み取られた乗車経路情報及び現在時間情報に基づき、乗車可能な列車の発着時刻及び発着ホームを問い合わせて検索し、それらを案内する形態のシステムが存在している。このような公知の乗車経路案内システムによれば、ユーザが乗り換えなどの際に行き先を判断する負担を軽減することができる。
【特許文献１】特開２００７−６２４１７号公報
【発明の開示】
【発明が解決しようとする課題】
【０００３】
しかしながら公知の乗車経路案内システムでは、上述のようにユーザへの負担軽減という効果があるものの、依然としてユーザにとって次のような負担が残る。すなわちユーザが、例えば公知の乗車経路案内システムを利用して出張を行った際、自らの会社に戻った後に出張報告書を作成する時に、再度一連の訪問履歴を思い出し直さないといけない。これではユーザは、この公知の乗車経路案内システムへの経路入力と出張報告書の作成時における経路入力という２度にわたり経路情報を入力する必要が生じてしまう。
【０００４】
本発明の目的は、ユーザの訪問履歴に基づいて自動的に経路書類を作成することができる無線タグ及び経路書類作成システムを提供することにある。
【課題を解決するための手段】
【０００５】
上記目的を達成するために、第１発明は、情報の送受信を行うアンテナと、前記アンテナを経由して外部から、ユーザの移動に伴う経路情報及び時間情報を受け取って記憶し、経路書類作成装置による経路書類の作成に用いる前記経路情報及び前記時間情報が読み出されるＩＣ回路部と、前記ＩＣ回路部及び前記アンテナが備えられたタグ媒体とを有することを特徴とする。
【０００６】
これにより、この無線タグは経路書類作成装置によって時間情報及び経路情報が読み出され、この経路書類作成装置に、これら時間情報に対応する経路情報に基づいて自動的に経路書類を作成させることができる。このとき経路書類作成装置は、この経路情報に基づいて運賃を計算し、その運賃を含めた経路書類を作成することもできる。
【０００７】
第２発明は、上記第１発明において、前記ＩＣ回路部は、前記アンテナを経由して受け取った運賃情報を記憶していることを特徴とする。
【０００８】
これにより、この無線タグは経路書類作成装置によって運賃情報が読み出され、この経路書類作成装置は運賃情報に基づく運賃を含めて自動的に経路書類を作成することができる。
【０００９】
第３発明は、上記第１発明又は第２発明において、前記ＩＣ回路部は、前記アンテナを経由して受け取った宿泊費情報を記憶していることを特徴とする。
【００１０】
これにより、この無線タグは経路書類作成装置によって読み出され、この経路書類作成装置は宿泊費情報に基づく宿泊費情報を含めて自動的に経路書類を作成することができる。
【００１１】
上記目的を達成するために、第４発明は、情報を記憶するＩＣ回路部と、情報の送受信を行うアンテナとを備え、ユーザによって携帯される無線タグと、前記ユーザの移動先の施設に配置され、前記無線タグとの間で情報の送受信を行って前記無線タグに、前記ユーザの移動に伴う経路情報及び時間情報を含む情報を記憶させる少なくとも１台の情報送受信装置と、前記無線タグから読み出した前記時間情報及び前記経路情報に基づいて経路書類を作成する経路書類作成装置とを有することを特徴とする。
【００１２】
これにより、ユーザは、無線タグを携帯するだけで手軽に移動が可能であり、その途中で立ち寄った施設において、その無線タグを情報送受信装置に近接させる。すると、この情報送受信装置は、この無線タグに、例えば現在時刻を表す時間情報及び、現在地を表す経路情報を書き込む。このユーザは、所望の少なくとも１つの施設に立ち寄っては、このような書き込みを行って目的地に至る。目的地に至ったユーザは、この経路書類作成装置を用いて、この無線タグから時間情報及び経路情報を読み出させ、この時間情報に対応する経路情報に基づいて自動的に経路書類を作成させることができる。このとき経路書類作成装置は、この経路情報に基づいて運賃を計算し、その運賃を含めた経路書類を作成することもできる。
【００１３】
第５発明は、上記第４発明において、前記経路書類作成装置からの問い合わせに応じて前記経路書類の作成にあたり必要な情報を提供する情報提供装置を有することを特徴とする。
【００１４】
これにより、経路書類作成装置は、時間情報及び経路情報に基づいて経路書類を作成するに当たり、情報提供装置から必要な情報の提供を受けてより詳細な経路書類を作成することができる。また経路書類作成装置は、情報提供装置から必要な情報として、例えば車両の運行時刻に関する情報を取得することで、例えばユーザが駅への入出時刻の代わりに、実際に乗車した車両の時刻を推定して乗車時刻を含む経路書類を作成することができる。この場合、経路書類作成装置は、情報提供装置から車両の運行時刻に関する情報を取得して、事故などによる運行遅れを反映した経路書類を作成することができる。
【００１５】
第６発明は、上記第５発明において、前記経路書類作成装置は、前記経路書類の生成に用いる情報の提供を受けるための前記問い合わせを生成し、前記情報提供装置は、前記経路書類作成装置からの前記問い合わせに応じて前記経路情報に基づいて前記ユーザの移動に伴ってかかる運賃を計算するための運賃情報を提供することを特徴とする。
【００１６】
これにより、経路書類作成装置が運賃を計算しなくても、経路情報に応じた運賃情報に基づく運賃を含めて経路書類を作成することができる。また経路書類作成装置は、例えば無線タグに運賃情報が記憶されている場合、この運賃情報の改ざんを確認することができる。
【００１７】
第７発明は、上記５発明において、前記経路書類作成装置は、前記経路書類の生成に用いる情報の提供を受けるための前記問い合わせを生成し、前記情報提供装置は、前記経路書類作成装置からの前記問い合わせに応じて前記経路情報に基づく宿泊費を計算するための宿泊費情報を提供することを特徴とする。
【００１８】
これにより、経路書類作成装置が宿泊費を計算しなくても、経路情報に応じた宿泊費を含めて経路書類を作成することができる。
【００１９】
第８発明は、上記第６発明又は第７発明のいずれかにおいて、前記経路書類作成装置は、前記経路情報に基づいて前記ユーザの移動に伴って経由すべきであった経由地を推測する経由地推測手段を備えることを特徴とする。
【００２０】
これにより、ユーザが、外出途中の施設に立ち寄った際に情報送受信装置によって無線タグに経由情報などを書き込み忘れた場合でも、実際の経由地を推測して正確な経路書類を作成することができる。一方、ユーザが仮に情報送受信装置の設置されていない施設に立ち寄った場合のように無線タグに経路情報などを書き込んでない場合でも、その施設に立ち寄ったことを推測して正確な経路書類を作成することができる。
【００２１】
第９発明は、上記第８発明において、前記経路書類作成装置は、前記経由地推測手段によって推測された経由地を前記ユーザに提示し、前記ユーザから入力される操作入力に基づいて前記推測された経由地を修正するための経由地修正手段を備えることを特徴とする。
【００２２】
これにより、上述のように推測された経由地がユーザによる実際の経由地とは異なる場合、そのユーザが、当該推測された経由地を修正することができる。このため経路書類作成装置は、そのユーザの正確な経由地に基づく経路書類を作成することができる。
【００２３】
第１０発明は、上記第４発明乃至第９発明のいずれかにおいて、前記経路書類作成装置は、前記経路書類として前記ユーザの出張に伴って報告すべき出張報告書を作成することを特徴とする。
【００２４】
これにより、仮にユーザが忙しい場合においても、そのユーザに代わり自動的に出張報告書を作成することができる。
【発明の効果】
【００２５】
本発明によれば、ユーザの訪問履歴に基づいて自動的に経路書類を作成することができる。
【発明を実施するための最良の形態】
【００２６】
以下、本発明の一実施の形態を図面を参照しつつ説明する。
【００２７】
図１に、本発明の実施形態の経路書類作成システムの構成例を示す。
【００２８】
ユーザＨは、例えば会社Ｃに勤務する社員であり、出張などのため会社Ｃから外出する機会を有する。なお本実施形態では、このユーザＨを他人と識別するのに名前として「Ｔ氏」と呼ぶものとする。このユーザＨは外出に当たり無線タグＴを携帯している。
【００２９】
このユーザＨが外出した際に立ち寄る場所には、タグリーダ／ライタ２が配置されている。タグリーダ／ライタ２は、例えば会社Ｃ、駅Ａ、駅Ｂ及び展示会場Ｄにそれぞれ設置されている。なお駅Ａ，Ｂは、交通機関として鉄道会社Ｅの路線によって接続されている。このタグリーダ／ライタ２（情報送受信装置）は、ユーザＨの移動先の施設に配置され、その無線タグＴとの間で情報の送受信を行ってその無線タグＴに、そのユーザＨの移動に伴う経路情報及び時間情報を記憶させる機能を有する。
【００３０】
また会社Ｃには後述する経路書類作成装置１０が配置されている。この経路書類作成装置１０は、その無線タグＴから読み出した時間情報及び経路情報に基づいて経路書類を作成するコンピュータである。ここでいう経路書類とは、例えばユーザＨが出張を行う場合には出張報告書を挙げることができる。
【００３１】
図２に、図１に示すタグリーダ／ライタ２の制御系を示す。なお、図中に示す矢印は信号の流れの一例を示すものであり、信号の流れ方向を限定するものではない。
【００３２】
この図２において、タグリーダ／ライタ２の制御基板（図示せず）上には、制御回路１１０が配置されている。この制御回路１１０には、各機器を制御するＣＰＵ１１１と、このＣＰＵ１１１にデータバス１１２を介して接続された入出力インターフェース１１３と、ＣＧＲＯＭ１１４と、ＲＯＭ１１５，１１６と、ＲＡＭ１１７とが設けられている。
【００３３】
ＲＯＭ１１６には、無線タグＴの備えられた無線タグ回路素子Ｔｏ（図３に詳述）に対する問いかけ信号や書き込み信号などのアクセス情報を生成して送信回路３０６に出力する送信プログラム、受信回路３０７から入力された応答信号などを処理する受信プログラム、その他タグリーダ／ライタ２の制御上必要な各種のプログラムが格納されている。ＣＰＵ１１１は、このようなＲＯＭ１１６に記憶されている各種プログラムに基づいて各種の演算を行う。
【００３４】
ＲＡＭ１１７には、テキストメモリ１１７Ａ、印字バッファ１１７Ｂ、パラメータ記憶エリア１１７Ｅ等が設けられている。テキストメモリ１１７Ａには、ＰＣ１１８から入力された文書データが格納される。印字バッファ１１７Ｂには、複数の文字や記号等の印字用ドットパターンや各ドットの形成エネルギ量である印加パルス数等がドットパターンデータとして格納され、不図示の印字ヘッド等によってこの印字バッファ１１７Ｂに記憶されているドットパターンデータに従ってドット印字が行われる。パラメータ記憶エリア１１７Ｅには、各種演算データや、情報読み取り（取得）が行われた無線タグ回路素子Ｔｏのタグ識別情報（ＵＩＤ）等が記憶される。
【００３５】
入出力インターフェース１１３には、ＰＣ１１８と、送信回路３０６及び受信回路３０７とが接続されている。
【００３６】
上記送信回路３０６は、上記ループアンテナＬＣを介して無線タグ回路素子Ｔｏにアクセスする（読み取り／書き込みを行う)ための搬送波を発生させるとともに、上記制御回路１１０から入力される制御信号に基づいて搬送波を変調して質問波を出力する。上記受信回路３０７は、無線タグ回路素子Ｔｏから上記ループアンテナＬＣを介して受信された応答波（応答信号）の復調を行い、上記制御回路１１０に出力する。これら送信回路３０６及び受信回路３０７は、アンテナ共用器２４０を介してループアンテナＬＣに接続されている。
【００３７】
なお、ここではアンテナ共用器２４０を用いて１つのアンテナで情報の送受信を行うようにしたが、これに限られず、送信回路３０６と受信回路３０７とに対応してアンテナを２つ設けるようにしてもよい。
【００３８】
このような制御回路１１０を核とする制御系において、制御回路１１０からの制御信号に基づき、送信回路３０６は搬送波の変調制御を行いループアンテナＬＣから質問波を出力するとともに、受信回路３０７は無線タグＴから受信した応答波を復調して取得した信号の処理を行う。
【００３９】
図３に、上記無線タグＴに備えられた無線タグ回路素子Ｔｏの機能的構成を示す。なお、図中に示す矢印は信号の流れの一例を示すものであり、信号の流れ方向を限定するものではない。
【００４０】
この図３において、無線タグ回路素子Ｔｏは、タグリーダ／ライタ２側のループアンテナＬＣと無線通信若しくは電磁誘導により非接触で信号の送受信を行う上記ループアンテナ１５２と、このループアンテナ１５２に接続された上記ＩＣ回路部１５１とを有している。
【００４１】
ＩＣ回路部１５１は、ループアンテナ１５２により受信された質問波を整流する整流部１５３と、この整流部１５３により整流された質問波のエネルギを蓄積し駆動電源とするための電源部１５４と、上記ループアンテナ１５２により受信された質問波からクロック信号を抽出して制御部１５５に供給するクロック抽出部１５６と、所定の情報信号を記憶し得るメモリ部１５７と、上記ループアンテナ１５２に接続された変復調部１５８と、上記整流部１５３、クロック抽出部１５６、及び変復調部１５８等を介し上記無線タグ回路素子Ｔｏの作動を制御するための上記制御部１５５とを備えている。
【００４２】
変復調部１５８は、ループアンテナ１５２により受信された上記タグリーダ／ライタ２のループアンテナＬＣからの通信信号の復調を行い、また、上記制御部１５５からの返信信号を変調し、ループアンテナ１５２より応答波（タグＩＤを含む信号）として送信する。
【００４３】
クロック抽出部１５６は受信した信号からクロック成分を抽出して制御部１５５にクロックを抽出するものであり、受信した信号のクロック成分の周波数に対応したクロックを制御部１５５に供給する。
【００４４】
制御部１５５は、上記変復調部１５８により復調された受信信号を解釈し、上記メモリ部１５７において記憶された情報信号に基づいて返信信号を生成し、上記変復調部１５８によりループアンテナ１５２から返信する制御等の基本的な制御を実行する。
【００４５】
上述したＩＣ回路部１５１は、ループアンテナ１５２を経由して外部から、ユーザの移動に伴う経路情報（経由地及び目的地）及び時間情報を受け取って記憶し、上述した経路書類作成装置１０による経路書類（出張報告書）の作成に用いるそれら経路情報及び時間情報が読み出される。ここでいう外部とは、例えば上述した施設に配置したタグリーダ／ライタ２（情報送受信装置）を表している。なお、上記経路情報は経由地及び目的地を表しているが、詳細については後述する。また本実施形態では、経路書類として、例えば出張報告書が作成されるものとする。
【００４６】
このＩＣ回路部１５１は、ループアンテナ１５２を経由して受け取った、例えば運賃情報を記憶している。
【００４７】
また、このＩＣ回路部１５１は、ループアンテナ１５２を経由して受け取った、例えば宿泊費情報を記憶している。
【００４８】
図４に、図３に示す無線タグ回路素子ＴｏのＩＣ回路部１５１のメモリマップを示す。
無線タグ回路素子Ｔｏのメモリマップには、タグＩＤ（タグ情報）に対応させて初期データ及び少なくとも１つの経路データが含まれている。この経路データは経路情報及び時間情報を有する。このうち初期データは目的地及び外出者の氏名を有する。また経路データは、第１経路データ、第２経路データ、第３経路データ、第４経路データ・・・を有する。タグＩＤは無線タグ回路素子Ｔｏに固有なデータである。一方、初期データ及び経路データは、ユーザによって読み書きをさせることが可能な領域である。
【００４９】
図５に、図４に示すメモリマップを有する無線タグ回路素子Ｔｏに書き込まれた情報の一例を示す。
【００５０】
無線タグ回路素子Ｔｏには、まず初期データの目的地として「展示会場Ｄ」が、外出者の氏名として「Ｔ氏」が記憶されている。
【００５１】
また無線タグ回路素子Ｔｏには、経路データとして図示のような各経路データが記憶されている。各経路データは、例えば施設情報、時間情報及び必要に応じて乗車運賃を含んでいる。ここでいう時間情報は、年月日などの日付情報及び時刻情報を含んでいる。ここでいう乗車運賃は、上述した運賃情報に相当している。
【００５２】
上述した経路書類作成装置１０は、無線タグＴの無線タグ回路素子Ｔｏから読み出したこれらの情報のいずれか又はこれらいずれかの組み合わせに基づいて、ユーザＨが立ち寄った施設、時間、乗車運賃及び宿泊費などのいずれかの組み合わせを含む経路書類として出張報告書などを作成する。またこの経路書類作成装置１０は、その代わりに、経路書類に記載する運賃を次のようにして取得するようにしても良い。
【００５３】
図６に、経路書類作成システム１００の構成例を示す。
【００５４】
経路書類作成システム１００は、情報提供装置５０及び経路書類作成装置１０がインターネット１５に接続された構成となっている。
【００５５】
経路書類作成装置１０は、経路書類の生成に用いる情報（運賃情報など）の提供を受けるための問い合わせを生成する。情報提供装置５０は、経路書類作成装置１０からの問い合わせに応じて上述した経路書類（出張報告書）の作成にあたり必要な情報を提供する機能を有する。以下の説明では、この情報のことを経路関連情報と呼ぶ。この情報提供装置５０は、例えば路線情報Ｗｅｂサーバ５１、宿泊施設情報Ｗｅｂサーバ５２及び住所Ｗｅｂサーバ５３を有する。
【００５６】
路線情報Ｗｅｂサーバ５１は、経路書類作成装置１０からの問い合わせに応じて、上述した経路情報に基づいて前記ユーザの移動に伴ってかかる運賃を計算するための運賃情報を提供する。具体的には、この路線情報Ｗｅｂサーバ５１は、例えば駅名及び時間情報（例えば書き込み時刻）を伴った問い合わせがあると、これらに対応する運賃及び運行時刻を返答する。この路線情報Ｗｅｂサーバ５１は、交通機関に遅延が生じている場合、その遅延時間を反映した経路関連情報を提供する。
【００５７】
宿泊施設情報Ｗｅｂサーバ５２は、経路書類作成装置１０からの問い合わせに応じて、上述した経路情報に基づく宿泊費を計算するための宿泊費情報を提供する機能を有する。具体的には、この宿泊施設情報Ｗｅｂサーバ５２は、例えば宿泊施設名を伴った問い合わせがあると、これに対応するその宿泊施設の住所及び宿泊費を返答する。
【００５８】
住所Ｗｅｂサーバ５３は、経路書類作成装置１０からの問い合わせに応じて、例えば施設名を伴う問い合わせを受け取ると、これに対応してその施設の住所を返答する。
【００５９】
経路書類作成装置１０は、上述した経路書類の作成に当たり、上記情報提供装置５０のうち例えば路線情報Ｗｅｂサーバ５１からの運賃情報と、上述のように無線タグＴの無線タグ回路素子Ｔｏに取得済の運賃情報とを照合し、その経路書類に記載すべき運賃情報が正しい金額であるかを確認する形態を採用しても良い。
【００６０】
また経路書類作成装置１０は、上述した経路書類の作成に当たり、上記情報提供装置５０のうち例えば路線情報Ｗｅｂサーバ５１からの運賃情報を用いて、上述した無線タグＴの無線タグ回路素子Ｔｏに取得済の運賃情報が仮に不十分であっても（例えば取得できなかった地点を経由していた場合など）、正確な運賃情報を経路書類に記載することができるようにしてもよい。
【００６１】
またこの経路書類作成装置１０は、ユーザＨの移動に伴い、無線タグＴの無線タグ回路素子Ｔｏに運賃情報を取得せずに施設情報及び時間情報を取得しておき、この無線タグＴの無線タグ回路素子Ｔｏから読み出した施設情報及び時間情報に基づく問い合わせを行い、上述した上記情報提供装置５０から必要な運賃情報を取得して上記経路書類を作成する形態でも良い。
【００６２】
図７に、図６に示す経路書類作成装置１０の機能構成例を示す。
【００６３】
経路書類作成装置１０は、タグ情報読取部２ａ、経路関連情報取得部１１、定型文書作成部１２、経由地推測部１６及び入出力部１４（入出力手段）を有する。
【００６４】
タグ情報読取部２ａは、上述したタグリーダ／ライタ２が有する機能のうち無線タグＴから情報を読み取る機能を有する。なおこのタグ情報読取部２ａは、経路書類作成装置１０の外部に設けられていて所定のインターフェースによって経路書類作成装置１０に接続されている形態でも良い。
【００６５】
経路関連情報取得部１１は、例えばタグ情報読取部２ａが無線タグＴの無線タグ回路素子Ｔｏから時間情報及び経路情報を読み取ったことを契機として、情報提供システム５０に対して経路関連情報を要求する。
【００６６】
経路関連情報取得部１１は、情報提供システム５０から経路関連情報を受け取ると、無線タグ回路素子Ｔｏから読み取った時間情報及び経路情報とともに、定型文書作成部１２に引き渡す。
【００６７】
定型文書作成部１２は、例えば予め用意されている定型文書を用いて、これら経路関連情報、時間情報及び経路情報を定型文書内に埋めて経路書類として自動生成書類データ１３を生成する。
【００６８】
経由地推測部１６（経由地推測手段）は、上述した経由情報に基づいて前記ユーザの移動に伴って経由すべきであった経由地を推測する。
【００６９】
このときユーザＨは、入出力部１４を用いて、この自動生成書類データ１３を確認したり修正することができる。具体的には、この経路書類作成装置１０は、入出力部１４（経由地修正手段）を備えており、この入出力部１４は、上述した経由地推測部１６によって推測された経由地をユーザＨに提示し、その推測された経由地を修正するためのそのユーザＨによる操作入力を受け付ける機能を有する。ここで推測された経由地のユーザＨへの提示方法としては、例えば不図示のディスプレイに表示することを挙げることができる。
【００７０】
図８に、経路情報などが書き込まれた無線タグＴから経路書類を作成する手順例を示す。なおこの各手順は経路書類作成装置１０において実行される文書作成処理である。
【００７１】
まずユーザＨは、外出に当たり携帯していた無線タグＴを経路書類作成装置１０のタグ情報読取部２ａに近接させる。するとステップＳ１では、タグ情報読取部２ａがその無線タグＴの無線タグ回路素子Ｔｏから時間情報、経路情報（目的地など）、運賃情報、初期データの一部であるユーザ情報を読み出す。
【００７２】
次にステップＳ２では、タグ情報読取部２ａがこの無線タグ回路素子Ｔｏからこれらの情報を読み取ることができたか否かを判断する。このステップＳ２では、タグ情報読取部２ａが、読み取ることができなかった場合には上述したステップＳ１に戻って再び実行する一方、読み取ることができた場合には、上述した経路関連情報取得部１１が次のステップＳ３を実行する。
【００７３】
ステップＳ３では、経路関連情報取得部１１が住所Ｗｅｂサーバ５３から目的地の関連情報（住所など）を取得する。次にステップＳ４では、この経路関連情報取得部１１がさらに路線情報Ｗｅｂサーバ５１から、交通機関施設情報と時間情報に基づいて運賃、乗り換え、運行時間情報を取得する。なお、この経路関連情報取得部１１は、上述した路線情報Ｗｅｂサーバ５１から運賃などを取得する代わりに、これら交通基幹施設情報と時間情報に基づいて運賃などを計算するようにしてもよい。
【００７４】
次にステップＳ５では、定型文書作成部１２が所定の定型文書フォーマットを取得する。次にステップＳ６では、定型文書作成部１２がこのように取得した経路情報（目的地を含む）、ユーザ情報を定型文書フォーマットに入力して自動生成書類データ１３を生成する。
【００７５】
次にステップＳ７では、定型文書作成部１２が、ユーザＨにその自動生成書類データ１３に基づく経路書類を参照させ、これで完成か否かを問い合わせる。定型文書作成部１２は、これで完成である場合には完成した完成書類データ２１を出力する一方、まだ完成ではない場合には入出力部１４が次のようなステップＳ８を実行する。
【００７６】
このステップＳ８では、ユーザＨが入出力部１４を用いてその自動生成書類データ１３に対して手入力で修正及び加筆の少なくとも一方を行った後、上述したステップＳ７に戻って完成であるか否かを問い合わせる。以上のように経路書類作成装置１０が完成書類データ２１を作成するが、その内容は次のような各例を挙げることができる。
【００７７】
図９に、完成書類データ２１に基づく経路書類の第１の例として宿泊費明細書を示す。
【００７８】
この宿泊費明細書では、その上部に、上述した初期データに基づいて所属として「ＡＡ開発部」、氏名として「堀田太郎」、出張先として「ＵＳ」、氏名コードとして「１２３４５」が表されている。
【００７９】
またこの宿泊費明細書では、その中央部に、上述した経路データに基づいて日付、ホテル名が表されているとともに、上述のように宿泊施設情報Ｗｅｂサーバ５２から取得した経路関連情報に基づいて宿泊日数、支払金額、換算レート及びＵＳドル換算額などが表されている。
【００８０】
図１０に、完成書類データ２１に基づく経路書類の第２の例として国内出張報告書を示す。
【００８１】
この国内出張報告書では、その上部に、上記同様に初期データに基づく所属などが表されている。またこの国内出張報告書では、その中部に、上記同様に経路データに基づいて日付、交通機関、ホテル名などが表されているとともに、上述のように路線情報Ｗｅｂサーバ５１から取得した経路関連情報に基づく経路情報（発車時刻や停車時刻など）が表されている。またこの国内出張報告書では、その下部に、上述のように路線情報Ｗｅｂサーバ５１から取得した経路関連情報に基づいて費用明細が表されている。
【００８２】
図１１及び図１２に、完成書類データ２１に基づく経路書類の第３の例として海外出張報告書を示す。図１１は海外出張報告書の第１頁目を表し、図１２はその第２頁目を表している。
【００８３】
図１１に示す海外出張報告書の第１頁では、その上部に、上記同様に初期データに基づく所属などが表されている。またこの海外出張報告書では、その中部に、上記同様に経路データに基づいて日付、時刻、交通機関、交通費（運賃情報）などが表されている。
【００８４】
図１２に示す海外出張報告書の第２頁目では、第１頁と同様に経路データに基づいて日付、時刻、交通機関、交通費（運賃情報）などが表されているが、このうち時刻などについてはフライトなどの遅延が生じている場合にはその遅延時間を反映した結果が反映されている。
【００８５】
上記実施形態における無線タグＴは、情報の送受信を行うループアンテナ１５２と、そのループアンテナ１５２を経由して外部から、ユーザの移動に伴う経路情報及び時間情報を受け取って記憶し、経路書類作成装置１０による経路書類（出張報告書）の作成に用いる前記経路情報及び前記時間情報が読み出されるＩＣ回路部１５１と、そのＩＣ回路部１５１及びそのループアンテナ１５２が備えられたタグ媒体とを有する。
【００８６】
このようにすると、この無線タグＴは経路書類作成装置１０によって時間情報及び経路情報が読み出され、この経路書類作成装置１０に、これら時間情報に対応する経路情報に基づいて自動的に経路書類を作成させることができる。このとき経路書類作成装置１０は、この経路情報に基づいて運賃を計算し、その運賃を含めた経路書類を作成することもできる。
【００８７】
上記実施形態における無線タグＴは、上述した構成に加えてさらに、無線タグ回路素子ＴｏのＩＣ回路部１５１は、そのループアンテナ１５２を経由して受け取った運賃情報を記憶している。
【００８８】
このようにすると、この無線タグＴは経路書類作成装置１０によって運賃情報が読み出され、この経路書類作成装置１０は運賃情報に基づく運賃を含めて自動的に経路書類を作成することができる。
【００８９】
上記実施形態における無線タグＴは、上述した構成に加えてさらに、無線タグ回路素子ＴｏのＩＣ回路部１５１は、そのループアンテナ１５２を経由して受け取った宿泊費情報を記憶している。
【００９０】
このようにすると、この無線タグＴは経路書類作成装置１０によって読み出され、この経路書類作成装置１０は宿泊費情報に基づく宿泊費情報を含めて自動的に経路書類を作成することができる。
【００９１】
上記実施形態における経路書類作成システム１００は、情報を記憶するＩＣ回路部１５１と、情報の送受信を行うループアンテナ１５２とを備え、ユーザＨによって携帯される無線タグＴと、そのユーザＨの移動先の施設（例えば駅Ａ，Ｂ及び展示会場Ｄ）に配置され、その無線タグＴとの間で情報の送受信を行ってその無線タグＴに、そのユーザＨの移動に伴う経路情報（経由地及び目的地）及び時間情報を含む情報を記憶させる少なくとも１台のタグリーダ／ライタ２（情報送受信装置）と、その無線タグＴから読み出した時間情報及び経路情報に基づいて経路書類（自動生成書類データ１３、完成書類データ２１）を作成する経路書類作成装置１０とを有する。
【００９２】
このようにすると、ユーザＨは、無線タグＴを携帯するだけで手軽に移動が可能であり、その途中で立ち寄った施設（駅Ａなど）において、その無線タグＴをタグリーダ／ライタ２に近接させる。すると、このタグリーダ／ライタ２は、この無線タグＴの無線タグ回路素子Ｔｏに、例えば現在時刻を表す時間情報及び、現在地を表す経路情報を書き込む。このユーザＨは、所望の少なくとも１つの施設に立ち寄っては、このような書き込みを行って目的地（展示会場Ｄなど）に至る。目的地に至ったユーザＨは、この経路書類作成装置１０を用いて、この無線タグＴから時間情報及び経路情報を読み出させ、この時間情報に対応する経路情報に基づいて自動的に経路書類を作成させることができる。このとき経路書類作成装置１０は、この経路情報に基づいて運賃を計算し、その運賃を含めた経路書類を作成することもできる。
【００９３】
上記実施形態における経路書類作成システム１００は、上述した構成に加えてさらに、経路書類作成装置１０からの問い合わせに応じて、そのような経路書類（自動生成書類データ１３、完成書類データ２１）の作成にあたり必要な情報を提供する情報提供システム５０（情報提供装置）を有する。
【００９４】
このようにすると、経路書類作成装置１０は、時間情報及び経路情報に基づいて経路書類を作成するに当たり、情報提供システム５０から必要な情報の提供を受けてより詳細な経路書類を作成することができる。また経路書類作成装置１０は、情報提供システム５０から必要な情報として、例えば車両の運行時刻に関する情報を取得することで、例えばユーザＨが駅への入出時刻の代わりに、実際に乗車した車両の時刻を推定して乗車時刻を含む経路書類を作成することができる。この場合、経路書類作成装置１０は、情報提供システム５０から車両の運行時刻に関する情報を取得して、事故などによる運行遅れを反映した経路書類（自動生成書類データ１３、完成書類データ２１）を作成することができる。
【００９５】
上記実施形態における経路書類作成システム１００は、上述した構成に加えてさらに、経路書類作成装置１０は、経路書類の生成に用いる情報の提供を受けるための上記問い合わせを生成し、上述した情報提供システム５０（情報提供装置）は、経路書類作成装置１０からの問い合わせに応じてその経路情報に基づいて上記ユーザＨの移動に伴ってかかる運賃を計算するための運賃情報を提供している。
【００９６】
このようにすると、経路書類作成装置１０が運賃を計算しなくても、経路情報に応じた運賃情報に基づく運賃を含めて経路書類（自動生成書類データ１３）を作成することができる。また経路書類作成装置１０は、例えば無線タグＴに運賃情報が記憶されている場合、この運賃情報の改ざんを確認することができる。
【００９７】
上記実施形態における経路書類作成システム１００は、上述した構成に加えてさらに、経路書類作成装置１０は、経路書類の生成に用いる情報の提供を受けるための上記問い合わせを生成し、上記情報提供システム５０は、経路書類作成装置１０からの問い合わせに応じて上記経路情報に基づく宿泊費を計算するための宿泊費情報を提供する。
【００９８】
このようにすると、経路書類作成装置１０が宿泊費を計算しなくても、経路情報に応じた宿泊費を含めて経路書類（自動生成書類データ１３）を作成することができる。
【００９９】
上記実施形態における経路書類作成システム１００は、上述した構成に加えてさらに、上述した経路書類作成装置１０は、上記経路情報に基づいて上記ユーザＨの移動に伴って経由すべきであった経由地を推測する経由地推測部１６（経由地推測手段）を備えている。このように経由地を推測する場合、用いる情報は上記経路情報のみならず地図情報などの他の情報も利用しても良いし、或いは、この経路情報の概念に当該他の情報を含ませて利用するようにしても良い。
【０１００】
このようにすると、ユーザＨが、外出途中の施設（展示会場Ｄなど）に立ち寄った際にタグリーダ／ライタ２によって無線タグＴの無線タグ回路素子Ｔｏに経由情報などを書き込み忘れた場合でも、実際の経由地を推測して正確な経路書類（自動生成書類データ１３）を作成することができる。一方、ユーザが仮にタグリーダ／ライタ２の設置されていない施設に立ち寄った場合のように無線タグＴに経路情報などを書き込んでない場合でも、その施設に立ち寄ったことを推測して正確な経路書類を作成することができる。
【０１０１】
上記実施形態における経路書類作成システム１００は、上述した構成に加えてさらに、上述した経路書類作成装置１０は、上述した経由地推測部１６によって推測された経由地をユーザＨに提示し、そのユーザＨから入力される操作入力に基づいて当該推測された経由地を修正する入出力部１４（経由地修正手段）を備える。
【０１０２】
このようにすると、上述のように推測された経由地がユーザによる実際の経由地とは異なる場合、そのユーザが、当該推測された経由地を修正することができる。このため経路書類作成装置１０は、そのユーザの正確な経由地に基づく経路書類（完成書類データ２１）を作成することができる。
【０１０３】
上記実施形態における経路書類作成システム１００は、上述した構成に加えてさらに、上述した経路書類作成装置１０は、上記経路書類として上記ユーザＨの出張に伴って報告すべき出張報告書（完成書類データ２１）を作成している。
【０１０４】
このようにすると、仮にユーザＨが忙しい場合においても、そのユーザＨに代わり自動的に出張報告書を作成することができる。
【０１０５】
また、以上既に述べた以外にも、上記実施形態や各変形例による手法を適宜組み合わせて利用しても良い。
【０１０６】
上記実施形態では、施設として駅Ａ，Ｂや展示会場Ｄを例示しているがこれに限られず、その他にも様々な場所を採用することができる。また上記実施形態では、出張報告書の作成を例示しているが、その出張の種別ごとのフォーマットは、上述した海外、国内、宿泊などのいずれかに応じたフォーマットに限られず、例えば長距離、短距離、日帰りなどのいずれかに応じたフォーマットを採用しても良い。
【０１０７】
また上記実施形態は、無線タグＴを携帯するのがユーザＨであり、その移動に伴う運賃や宿泊費用を例示して説明しているが、これに限られず、例えばある対象を例示し、その対象の移動に伴う移動費用や停泊費用を例示しても良い。このようにすると、ユーザＨのような人間に限られず、人間或いは物（荷物、コンテナ、物品など）又は人間とそのような物との組み合わせについても、上記実施形態とほぼ同様な効果を発揮することができる。
【０１０８】
上記実施形態では、タグリーダ／ライタ２が会社Ｃ、駅Ａ、駅Ｂ及び展示会場Ｄなどに設置されており、ユーザＨが無線タグＴを所持しつつ移動する形態を例示しているが、これに限られず、無線タグＴ（以下「場所タグＴ」と呼ぶ）が会社Ｃ、駅Ａ、駅Ｂ及び展示会場Ｄなどに設置されており、ユーザＨがタグリーダ／ライタ２を所持している形態でもよい。すなわち上記実施形態では、拠点に場所タグＴが設置されていて、例えば出張者であるユーザＨがリーダ／ライタ２を携帯し、場所タグＴを読み取って得た情報をリーダ／ライタ２内の不揮発性メモリに記録していき、帰社後に報告書作成システム（上記経路書類作成システム１００に相当）に入力するようにしてもよい。この場合、そのリーダ／ライタ２とこの報告書作成システムは有線により接続される形態でもよい。
【０１０９】
その他、一々例示はしないが、本発明は、その趣旨を逸脱しない範囲内において、種々の変更が加えられて実施されるものである。
【図面の簡単な説明】
【０１１０】
【図１】本発明の実施形態の経路情報書き込みシステムの構成例を示すシステム構成図である。
【図２】タグリーダ／ライタの制御系を表す機能ブロック図である。
【図３】無線タグ回路素子の機能的構成を表す機能ブロック図である。
【図４】図３に示す無線タグのＩＣ回路部のメモリマップを示す図である。
【図５】図４に示すメモリマップを有する無線タグに書き込まれた情報の一例を示す図である。
【図６】経路書類作成システムの構成例を示すシステム構成図である。
【図７】図６に示す経路書類作成装置の機能構成例を示すブロック図である。
【図８】経路情報などが書き込まれた無線タグから経路書類を作成する手順例を示すフローチャートである。
【図９】完成書類データに基づく経路書類の第１の例として宿泊費明細書を示すイメージ図である。
【図１０】完成書類データに基づく経路書類の第２の例として国内出張報告書を示すイメージ図である。
【図１１】完成書類データに基づく経路書類の第３の例として海外出張報告書の第１頁目を示すイメージ図である。
【図１２】完成書類データに基づく経路書類の第３の例として海外出張報告書の第２頁目を示すイメージ図である。
【符号の説明】
【０１１１】
２                タグリーダ／ライタ（情報送受信装置）
２ａ              タグ情報読取部
１０              経路書類作成装置
１４              入出力部（経由地修正手段）
１６              経路推測部（経路推測手段）
５０              情報提供システム（情報提供装置）
１００            経路書類作成システム
１１０            制御回路
１１１            ＣＰＵ
１１３            入出力インターフェース
１１４            ＣＧＲＯＭ
１１５            ＲＯＭ
１１６            ＲＯＭ
１１７            ＲＡＭ
１１７Ａ          テキストメモリ
１１７Ｂ          印字バッファ
１１７Ｅ          パラメータ記憶エリア
１１８            ＰＣ
１５１            ＩＣ回路部
１５２            ループアンテナ（アンテナ）
１５３            整流部
１５４            電源部
１５５            制御部
１５６            クロック抽出部
１５７            メモリ部
１５８            変復調部
２４０            アンテナ共用器
３０６            送信回路
３０７            受信回路
Ａ                駅（施設）
Ｂ                駅（施設）
Ｄ                展示会場（施設）
Ｈ                ユーザ
ＬＣ              ループアンテナ
Ｔ                無線タグ
【図１】
2009199137.tif 000003
【図２】
2009199137.tif 000004
【図３】
2009199137.tif 000005
【図４】
2009199137.tif 000006
【図５】
2009199137.tif 000007
【図６】
2009199137.tif 000008
【図７】
2009199137.tif 000009
【図８】
2009199137.tif 000010
【図９】
2009199137.tif 000011
【図１０】
2009199137.tif 000012
【図１１】
2009199137.tif 000013
【図１２】
2009199137.tif 000014